(57)【要約】【課題】  浴場、洗面台などの排水口に設置されている目皿の上に載置するだけで、何度でも使用でき、掃除にかかる時間と手間を最小限にできる排水口用毛髪捕捉器具を提供する。【解決手段】  複数の通水孔を有する目皿の周辺領域よりも低く形成された中央領域の縁部上面に載置するフレーム本体１１をリング状に形成し、フレーム本体１１に把手部１２を上方向に突出形成した。また、フレーム本体と把手部を分割して一対の部材を形成し、各部材を着脱自在に取付け、各部材を分離させるだけで付着した毛髪を簡単に除去することができる。【選択図】  図１
2006265940.tif 000002
【特許請求の範囲】
【請求項１】
複数の通水孔を有する目皿の周辺領域よりも低く形成された中央領域の縁部上面に載置するフレーム本体をリング状に形成し、前記フレーム本体に把手部を上方向に突出形成したことを特徴とする排水口用毛髪捕捉器具。
【請求項２】
前記フレーム本体と前記把手部を一本の棒状素材から構成し、前記把手部を前記フレーム本体の一端部の上方向に屈曲させて形成し、又は前記把手部を前記フレーム本体の一端部の上方向及び他端部の下方向に屈曲させて形成したことを特徴とする請求項１に記載の排水口用毛髪捕捉器具。
【請求項３】
請求項１又は請求項２に記載の排水口用毛髪捕捉器具において、前記フレーム本体と前記把手部を分割して一対の部材を形成し、前記各部材を着脱自在に取付け、前記各部材を分離させるだけで付着した毛髪を簡単に除去できることを特徴とする排水口用毛髪捕捉器具。
【発明の詳細な説明】
【技術分野】
【０００１】
本発明は、浴場、洗面台などの排水口に設置されている目皿に装着する排水口用毛髪捕捉器具に関する。
【背景技術】
【０００２】
浴場の洗い場からは毛髪、垢、糸屑などの雑多なごみが流出される。従来から、これらのごみによる排水管の詰まり防止を図るため、浴場の床面に設けられている排水管の排水口には、金網などにより複数の通水孔を有する目皿が設置されている。しかし、この目皿に滞留した毛髪などのゴミを掃除する際に、目皿に絡まっている毛髪を除去することが困難な場合が多く、付着した毛髪に直接手を触れると非衛生的であり、毛髪の量が多いと掃除に時間がかかるという問題があった。  
【０００３】
浴場、洗面台などの排水口の目皿に装着して使用するゴミ取りネット、ゴミ捕捉器としては種々のものが提案され、それらの幾つかは実用にも供されている。
【０００４】
特開平８−８５９９０号公報には、排水流によって外れたりずれたりすることがなく、また、取外しにおいては、ゴミに直接手を触れることなく取外すことができるようにした排水口のゴミ取りネットを提供することを目的とし、リング状をなすフレ−ム本体の内側の略全面にネット部を形成すると共に、フレ−ム本体に、目皿の通水孔に差込まれる略爪状乃至は舌片状をなす切起し片と、起立させて指で掴む掴み部とを設けた「排水口のゴミ取りネット」が開示されている（特許文献１）。
【０００５】
特開平１１−２９３７３６号公報には、ワンタッチで押さえ又は金網に取り付けられ、ワンタッチで取り外しができる使い捨てタイプのゴミ捕獲網で水流に流されない安定なものを提供することを目的とし、メッシュフィルターの中心より偏った位置に杭又は突起をつけた「排水口ゴミ捕捉器」が開示されている（特許文献２）。
【０００６】
実用新案登録第３０８２１６８号公報には、目皿に付着したゴミに手を触れることなく、目皿を掃除することができる目皿を提供することを目的とし、目皿部材は中央領域と該中央領域の周囲に形成されている周辺領域とからなり、中央領域は周辺領域よりも高く形成されており、係止部材は中央領域において目皿部材に対して着脱するものであり、かつ、係止部材はその先端において第二のゴミ受け用目皿に着脱可能である「ゴミ受け用目皿」が開示されている（特許文献３）。
【０００７】
【特許文献１】特開平８−８５９９０号公報
【特許文献２】特開平１１−２９３７３６号公報
【特許文献３】実用新案登録第３０８２１６８号公報
【発明の開示】
【発明が解決しようとする課題】
【０００８】
本発明は、上述した従来技術とは異なる独自の簡易な構造を採用し且つ掃除にかかる時間と手間を最小限にする点に着目し、掃除する際に簡単に毛髪を除去することができる排水口用毛髪捕捉器具を提供するものである。
【課題を解決するための手段】
【０００９】
上記課題を解決するために、請求項１に記載の発明は、複数の通水孔を有する目皿の周辺領域よりも低く形成された中央領域の縁部上面に載置するフレーム本体をリング状に形成し、前記フレーム本体に把手部を上方向に突出形成したことを特徴とする。
【００１０】
これにより、排水口に設置されている目皿に装着可能であり、その装着状態は容易かつ確実な取付状態を確保できることによって排水流によって外れることがなく、掃除する際に、目皿から容易に取外しすることができ、付着した毛髪に直接手を触れることなく簡単に毛髪を除去することができる。
【００１１】
また、請求項２に記載の発明は、請求項１に記載の発明において、前記フレーム本体と前記把手部を一本の棒状素材から構成し、前記把手部を前記フレーム本体の一端部の上方向に屈曲させて形成し、又は前記把手部を前記フレーム本体の一端部の上方向及び他端部の下方向に屈曲させて形成したことを特徴とする。
【００１２】
これにより、滞留した毛髪を除去する際に、把手部を摘んで持ち上げてそのまま逆さまにする又は一方の把手部を摘んで持ち上げて他方の把手部に持ちかえて逆さまにするだけで、付着した毛髪に直接手を触れることなく簡単に毛髪を除去することができる。
【００１３】
また、請求項３に記載の発明は、請求項１又は請求項２に記載の発明において、前記フレーム本体と前記把手部を分割して一対の部材を形成し、各部材を着脱自在に取付けることを特徴とする。
【００１４】
これにより、滞留した毛髪を除去する際に、一対の部材を分離させるだけで、付着した毛髪に直接手を触れることなく簡単に毛髪を除去することができる。
【発明の効果】
【００１５】
以上のように、本発明の排水口用毛髪捕捉器具によれば、目皿の上に載置するだけで、何度でも使用でき、掃除にかかる時間と手間を最小限にできる。
【発明を実施するための最良の形態】
【００１６】
以下、本発明の実施の一形態について、図面を参酌しながら説明する。
【００１７】
（第一実施形態）
図１は、排水口用毛髪捕捉器具の第一実施形態を示す斜視図であり、図２は、この排水口用毛髪捕捉器具の平面図（ａ）・正面図（ｂ）である。
【００１８】
図１及び図２に示すように、排水口用毛髪捕捉器具１０は、フレーム本体１１と把手部１２から構成されている。フレーム本体１１は、後述するように複数の通水孔を有する目皿の周辺領域よりも低く形成された中央領域の縁部上面に載置できるようにリング状に形成されている。また、フレーム本体１１に把手部１２が上方向に突出形成されている。
【００１９】
フレーム本体１１と把手部１２は、一本の棒状素材（例えば、ポリエチレン、ポリプロピレンなどの合成樹脂、天然ゴム、ブタジエンなどの合成ゴム、アルミニウム、銀、銅、ステンレスなどの金属）によって構成することができる。この場合、把手部１２は、フレーム本体１１の一端部を上方向に屈曲させて形成される。フレーム本体１１は、目皿の中央領域の縁部上面に載置できる径を有するリング状に形成し、把手部１２は、フレーム本体１１の上面域に滞留した毛髪を除去する際に、指先で摘んで持ち上げることができる程度の長さに適宜調整しておく。なお、本発明のフレーム本体１１の外形は、図示した円環状のほか、多角形状などであっても、目皿の中央領域の縁部上面に載置できる外形を有しているものであればよい。
【００２０】
図７は、図１に示す排水口用毛髪捕捉器具の使用状態を示す説明図である。
図７の中で、１００は浴場の排水口、１１０は浴場の排水口に設置された目皿、１２０は通水蓋を示している。目皿１１０は、中央領域が周辺領域よりも低く形成された凹部構造を備えており、この中央領域の縁部上面に排水口用毛髪捕捉器具１０を載置する。浴場の洗い場から湯水とともに通水蓋１２０を介して流入した毛髪は、毛髪同士の摩擦や湯水の流れによって生じる絡み合いなどに起因してフレーム本体１１の上面域に重なった状態で滞留し、一方湯水は目皿１１０に設けられている通水孔（図示省略）を介して目皿１１０の下方に位置する排水口１００に流出する。
【００２１】
このようにフレーム本体１１の上面域に重なった状態で滞留した毛髪を除去する際は、把手部１２を指先で摘んで持ち上げてそのまま逆さまにするだけで、付着した毛髪に直接手を触れることなく簡単に毛髪を除去することができる。
【００２２】
（第二実施形態）
図３は、排水口用毛髪捕捉器具の第二実施形態を示す平面図（ａ）・正面図（ｂ）である。
【００２３】
図３に示すように、排水口用毛髪捕捉器具２０は、フレーム本体２１と把手部２２、２３から構成されている。フレーム本体２１は、上述した第一実施形態と同様に複数の通水孔を有する目皿の周辺領域よりも低く形成された中央領域の縁部上面に載置できるようにリング状に形成されている。第二実施形態が第一実施形態と異なる点は、把手部２２，２３がフレーム本体２１の一端部の上方向及び他端部の下方向に突出形成されている点である。
【００２４】
フレーム本体２１と把手部２２、２３は、上述した第一実施形態と同様に一本の棒状素材（例えば、ポリエチレン、ポリプロピレンなどの合成樹脂、天然ゴム、ブタジエンなどの合成ゴム、アルミニウム、銀、銅、ステンレスなどの金属）によって構成することができる。この場合、把手部２２，２３は、フレーム本体２１の一端部の上方向及び他端部の下方向に屈曲させて形成される。フレーム本体２１は、目皿の中央領域の縁部上面に載置できる径を有するリング状に形成し、把手部２２、２３は、フレーム本体２１の上面域に滞留した毛髪を除去する際に、指先で摘んで持ち上げることができる程度の長さに適宜調整しておく。なお、本発明のフレーム本体２１の外形は、上述した第一実施形態と同様に図示した円環状のほか、多角形状などであっても、目皿の中央領域の縁部上面に載置できる外形を有しているものであればよい。
【００２５】
第二実施形態の排水口用毛髪捕捉器具を使用する場合、上述した第一実施形態と同様に目皿の中央領域の縁部上面に排水口用毛髪捕捉器具２０を載置するが、このとき把手部２３の下方向に突出した部分を目皿に設けられている通水孔に貫通させて位置を固定しておくことにより取付けの安定性が高まる。また、フレーム本体２１の上面域に重なった状態で滞留した毛髪を除去する際は、把手部２２を指先で摘んで持ち上げて他方の把手部２３に持ちかえて逆さまにするだけで、付着した毛髪に直接手を触れることなく簡単に毛髪を除去することができる。
【００２６】
（第三実施形態）
図４は、排水口用毛髪捕捉器具の第三実施形態を示す斜視図であり、図５は、この排水口用毛髪捕捉器具の平面図（ａ）・正面図（ｂ）である。
【００２７】
図４及び図５に示すように、排水口用毛髪捕捉器具３０は、フレーム本体３１と把手部３２から構成されている。フレーム本体３１は、上述した第一実施形態と同様に複数の通水孔を有する目皿の周辺領域よりも低く形成された中央領域の縁部上面に載置できるようにリング状に形成されている。第三実施形態が第一実施形態と異なる点は、フレーム本体３１と把手部３２を分割して一対の部材（３１ａと３２ａからなる部材Ａ、３１ｂと３２ｂからなる部材Ｂ）を形成し、各部材Ａ、Ｂを着脱自在に取付け可能にした点である。
【００２８】
上記部材Ａ、Ｂは、それぞれ一本の棒状素材（例えば、ポリエチレン、ポリプロピレンなどの合成樹脂、天然ゴム、ブタジエンなどの合成ゴム、アルミニウム、銀、銅、ステンレスなどの金属）によって構成することができる。この場合、把手部３２ａ・３２ｂは、フレーム本体３１ａ・３１ｂの一端部の上方向に屈曲させて形成される。また、上記部材Ａ、Ｂを着脱自在に取付けることができるように、フレーム本体３１ａ・３１ｂと把手部３２ａ・３２ｂの各先端部にはマグネット３３ａ、３３ｂ、３４ａ、３４ｂが設けられている。上記部材Ａ、Ｂを結合させたときに形成されるフレーム本体３１は、上述した第一実施形態と同様に目皿の中央領域の縁部上面に載置できる径を有するリング状に形成し、把手部３２は、フレーム本体３１の上面域に滞留した毛髪を除去する際に、指先で摘んで持ち上げることができる程度の長さに適宜調整しておく。なお、本発明のフレーム本体３１の外形は、上述した第一実施形態と同様に図示した円環状のほか、多角形状などであっても、目皿の中央領域の縁部上面に載置できる外形を有しているものであればよい。
【００２９】
第三実施形態の排水口用毛髪捕捉器具を使用する場合、上記部材Ａ、Ｂをマグネット３３ａ、３３ｂ、３４ａ、３４ｂを介して結合させた後、上述した第一実施形態と同様に目皿の中央領域の縁部上面に排水口用毛髪捕捉器具３０を載置する。また、フレーム本体３１の上面域に重なった状態で滞留した毛髪を除去する際は、把手部３３を指先で摘んで持ち上げて上記部材Ａ、Ｂを分離させるだけで、付着した毛髪に直接手を触れることなく簡単に毛髪を除去することができる。
【００３０】
（第四実施形態）
図６は、排水口用毛髪捕捉器具の第四実施形態を示す平面図（ａ）・正面図（ｂ）である。
【００３１】
図６に示すように、排水口用毛髪捕捉器具４０は、上述した第三実施形態と同様にフレーム本体４１と把手部４２を分割して一対の部材（４１ａと４２ａからなる部材Ｃ、４１ｂと４２ｂからなる部材Ｄ）を形成し、各部材Ｃ、Ｄを着脱自在に取付け可能にしたものである。第四実施形態が第三実施形態と異なる点は、各部材Ｃ、Ｄの取付け手段を嵌め込み型にした点である。
【００３２】
上記部材Ｃ、Ｄは、上述した第三実施形態と同様にそれぞれ一本の棒状素材（例えば、ポリエチレン、ポリプロピレンなどの合成樹脂、天然ゴム、ブタジエンなどの合成ゴム、アルミニウム、銀、銅、ステンレスなどの金属）によって構成することができる。この場合、把手部４２ａ・４２ｂは、フレーム本体４１ａ・４１ｂの一端部の上方向に屈曲させて形成される。また、上記部材Ｃ、Ｄを着脱自在に取付けることができるように、フレーム本体４１ａ・４１ｂの各先端部には嵌合部４３が設けられている。嵌合部４３の構造については、例えば、一方に凹部を形成し、他方に凸部を形成して相互に嵌め合わせるものが適している。上記部材Ｃ、Ｄを結合させたときに形成されるフレーム本体４１は、上述した第一実施形態と同様に目皿の中央領域の縁部上面に載置できる径を有するリング状に形成し、把手部４２は、フレーム本体４１の上面域に滞留した毛髪を除去する際に、指先で摘んで持ち上げることができる程度の長さに適宜調整しておく。なお、本発明のフレーム本体４１の外形は、上述した第一実施形態と同様に図示した円環状のほか、多角形状などであっても、目皿の中央領域の縁部上面に載置できる外形を有しているものであればよい。
【００３３】
第四実施形態の排水口用毛髪捕捉器具を使用する場合、上記部材Ｃ、Ｄを嵌合部４３で嵌め合わせて結合させた後、上述した第一実施形態と同様に目皿の中央領域の縁部上面に排水口用毛髪捕捉器具４０を載置する。また、フレーム本体４１の上面域に重なった状態で滞留した毛髪を除去する際は、把手部４３を指先で摘んで持ち上げて上記部材Ｃ、Ｄを分離させるだけで、付着した毛髪に直接手を触れることなく簡単に毛髪を除去することができる。
【図面の簡単な説明】
【００３４】
【図１】排水口用毛髪捕捉器具の第一実施形態を示す斜視図である。
【図２】図１に示す排水口用毛髪捕捉器具の平面図（ａ）・正面図（ｂ）である。
【図３】排水口用毛髪捕捉器具の第二実施形態を示す平面図（ａ）・正面図（ｂ）である。
【図４】排水口用毛髪捕捉器具の第三実施形態を示す斜視図である。
【図５】図４に示す排水口用毛髪捕捉器具の平面図（ａ）・正面図（ｂ）である。
【図６】排水口用毛髪捕捉器具の第四実施形態を示す平面図（ａ）・正面図（ｂ）である。
【図７】図１に示す排水口用毛髪捕捉器具の使用状態を示す説明図である。
【符号の説明】
【００３５】
１０、２０、３０、４０  排水口用毛髪捕捉器具
１１、２１，３１，４１  フレーム本体
１２、２２、２３、３２、４２  把手部
３３,３４  マグネット
４３  嵌合部
【図１】
2006265940.tif 000003
【図２】
2006265940.tif 000004
【図３】
2006265940.tif 000005
【図４】
2006265940.tif 000006
【図５】
2006265940.tif 000007
【図６】
2006265940.tif 000008
【図７】
2006265940.tif 000009